(57)【要約】【課題】リスクアセスメントの作業の負担を軽減することができる労働安全衛生管理システムを提供すること。【解決手段】複数の作業のそれぞれと、作業工程およびリスク情報と、を対応付けて記述したリスク情報テーブルを予め格納する参照情報格納部１１０と、リスクアセスメントの対象となる工事の工事内訳を取得する工事内訳取得部１２０と、ユーザから、前記工事内訳に含まれる工種に対応付けて、複数の作業の中から選択する操作を受け付ける作業選択受付部１３０と、選択された作業に対応する作業工程およびリスク情報の一覧を生成し、対応する工種と対応付けてユーザに提示するリスク情報提示部１４０と、を有する。【選択図】図１
2015052854.tif 000002
【特許請求の範囲】
【請求項１】
複数の作業のそれぞれと、作業工程およびリスク情報と、を対応付けて記述したリスク情報テーブルを予め格納する参照情報格納手段と、
リスクアセスメントの対象となる工事の工事内訳を取得する工事内訳取得手段と、
ユーザから、前記工事内訳に含まれる工種に対応付けて、前記複数の作業の中から選択する操作を受け付ける作業選択受付手段と、
選択された前記作業に対応する前記作業工程および前記リスク情報の一覧を生成し、対応する前記工種と対応付けて前記ユーザに提示するリスク情報提示手段と、を有する、
労働安全衛生管理システム。
【請求項２】
前記リスク情報提示手段は、
前記一覧を作業手順書として表示し、前記ユーザから、表示された前記作業手順書の内容の少なくとも一部に対する変更を受け付ける、
請求項１に記載の労働安全衛生管理システム。
【請求項３】
前記作業手順書は、プルダウンメニューを含み、前記プルダウンメニューは、選択された前記作業に対応する前記作業工程または前記リスク情報を、初期状態において表示する、
請求項２に記載に労働安全衛生管理システム。
【請求項４】
前記作業選択受付手段は、
前記工事内訳に含まれる全ての工種に対応付けて、前記複数の作業に対する選択操作が行われたか否か、を示す情報を提示する、
請求項１に記載の労働安全衛生管理システム。
【請求項５】
前記参照情報格納手段は、
前記リスク情報テーブルは、前記リスク情報と法令情報との対応関係を更に記述し、
前記リスク情報提示手段は、
提示する前記リスク情報に対応付けて、当該リスク情報に対応する前記法令情報を更に提示する、
請求項１に記載の労働安全衛生管理システム。
【請求項６】
前記リスク情報提示手段は、
ユーザから、前記作業工程に対応する災害防止対策を行ったか否かを示す情報を前記一覧に追加する作業を受け付ける、
請求項１に記載の労働安全衛生管理システム。
【請求項７】
前記リスク情報提示手段は、
前記リスク情報と、ユーザがリスク回避対策を記入する欄と、を前記ユーザに一斉に提示する、
請求項１に記載の労働安全衛生管理システム。
【請求項８】
リスクアセスメントの対象となる工事の工事内訳を取得する工事内訳取得工程と、
ユーザから、前記工事内訳に含まれる工種に対応付けて、複数の作業の中から選択する操作を受け付ける作業選択受付工程と、
前記複数の作業のそれぞれと、作業工程およびリスク情報と、を対応付けて記述したリスク情報テーブルを参照して、選択された前記作業に対応する前記作業工程および前記リスク情報の一覧を生成し、対応する前記工種と対応付けて前記ユーザに提示するリスク情報提示工程と、を有する、
労働安全衛生管理方法。
【請求項９】
コンピュータに、
リスクアセスメントの対象となる工事の工事内訳を取得する工事内訳取得処理と、
ユーザから、前記工事内訳に含まれる工種に対応付けて、複数の作業の中から選択する操作を受け付ける作業選択受付処理と、
前記複数の作業のそれぞれと、作業工程およびリスク情報と、を対応付けて記述したリスク情報テーブルを参照して、選択された前記作業に対応する前記作業工程および前記リスク情報の一覧を生成し、対応する前記工種と対応付けて前記ユーザに提示するリスク情報提示処理と、を実行させる、
労働安全衛生管理プログラム。
【発明の詳細な説明】
【技術分野】
【０００１】
本発明は、工事の労働安全衛生を管理するための、労働安全衛生管理システム、労働安全衛生管理方法、および労働安全衛生管理プログラムに関する。
【背景技術】
【０００２】
工事を行うにあたって、労働災害のリスクアセスメントを行うことは重要である。ところが、工事のどの段階でどのような災害が起こり得るか、また、どのような対策がその災害を防止するのに有効であるか等を、的確に判断して決定するには、多大な労力を要する。
【０００３】
そこで、リスクアセスメントに必要な情報を自動で生成して提示する技術が、例えば、特許文献１に記載されている。特許文献１に記載の技術（以下「従来技術」という）は、工事名称と工程とを関連付けたテーブルと、工程と危険有害要因等の危険情報とを関連付けたテーブルとを、予め格納している。従来技術は、これらのテーブルを参照して、工事の内訳データから、工事名称に対応する工程のうち危険有害要因を有する工程とその危険情報とを自動で抽出し、一覧表示する。このような従来技術は、リスクアセスメントに必要な情報をユーザに提示することができ、ユーザのリスクアセスメントの作業を支援することができる。
【先行技術文献】
【特許文献】
【０００４】
【特許文献１】特開２００６−５９３３２号公報
【発明の概要】
【発明が解決しようとする課題】
【０００５】
しかしながら、従来技術は、リスクアセスメントの作業の負担をあまり軽減することができない、という課題を有する。理由は以下の通りである。工事の内訳データに用いられる工事名称は、通常、発注者によって異なる。また、同一の発注者であっても、工事の種類や状況に応じて、行うべき作業が異なる場合もある。すなわち、同一の工事名称であっても、必ずしも同一内容の作業に対応しているとは限らないことから、工事名称に全く対応していない工程が表示されるといった事態が起こり得る。このため、ユーザは、自動で一覧表示された工程の１つ１つについて、適切か否かを後から入念に確認する必要がある。
【０００６】
本発明の目的は、リスクアセスメントの作業の負担を軽減することができる、労働安全衛生管理システム、労働安全衛生管理方法、および労働安全衛生管理プログラムを提供することである。
【課題を解決するための手段】
【０００７】
本発明の一態様に係る労働安全衛生管理システムは、複数の作業のそれぞれと、作業工程およびリスク情報と、を対応付けて記述したリスク情報テーブルを予め格納する参照情報格納手段と、リスクアセスメントの対象となる工事の工事内訳を取得する工事内訳取得手段と、ユーザから、前記工事内訳に含まれる工種に対応付けて、前記複数の作業の中から選択する操作を受け付ける作業選択受付手段と、選択された前記作業に対応する前記作業工程および前記リスク情報の一覧を生成し、対応する前記工種と対応付けて前記ユーザに提示するリスク情報提示手段と、を有する。
【０００８】
本発明の一態様に係る労働安全衛生管理方法は、リスクアセスメントの対象となる工事の工事内訳を取得する工事内訳取得工程と、ユーザから、前記工事内訳に含まれる工種に対応付けて、複数の作業の中から選択する操作を受け付ける作業選択受付工程と、前記複数の作業のそれぞれと、作業工程およびリスク情報と、を対応付けて記述したリスク情報テーブルを参照して、選択された前記作業に対応する前記作業工程および前記リスク情報の一覧を生成し、対応する前記工種と対応付けて前記ユーザに提示するリスク情報提示工程と、を有する。
【０００９】
本発明の一態様に係る労働安全衛生管理プログラムは、コンピュータに、リスクアセスメントの対象となる工事の工事内訳を取得する工事内訳取得処理と、ユーザから、前記工事内訳に含まれる工種に対応付けて、複数の作業の中から選択する操作を受け付ける作業選択受付処理と、前記複数の作業のそれぞれと、作業工程およびリスク情報と、を対応付けて記述したリスク情報テーブルを参照して、選択された前記作業に対応する前記作業工程および前記リスク情報の一覧を生成し、対応する前記工種と対応付けて前記ユーザに提示するリスク情報提示処理と、を実行させる。
【発明の効果】
【００１０】
本発明によれば、リスクアセスメントの作業の負担を軽減することができる。
【図面の簡単な説明】
【００１１】
【図１】本発明の一実施の形態に係る労働安全衛生管理システムの構成の一例を示すブロック図
【図２】本実施の形態における作業手順マスタテーブルの一例を示す図
【図３】本実施の形態に係る労働安全衛生管理システムの画面全体の一例を示す図
【図４】本実施の形態における各アイコンに対応する主な機能を説明する図
【図５】本実施の形態に係る労働安全衛生管理システムの動作の一例を示すフローチャート
【図６】本実施の形態における積算内訳作成画面の一例を示す図
【図７】本実施の形態における工種選択画面の一例を示す図
【図８】本実施の形態における初期状態の作業手順書作成画面の一例を示す図
【図９】本実施の形態における作業項目選択画面の一例を示す図
【図１０】本実施の形態における作成途中の作業手順書作成画面の一例
【図１１】本実施の形態における作業手順書のプルダウンメニューのメニュー項目の一例を示す図
【図１２】本実施の形態における登録された作業手順書の一例を示す図
【図１３】本実施の形態における作業手順書兼リスクアセスメント実施一覧表の一例を示す図
【図１４】本実施の形態における対策実施報告書の一例を示す図
【図１５】本実施の形態における危険予知活動表の一例を示す図
【図１６】本実施の形態における実施状況写真一覧表の一例を示す図
【発明を実施するための形態】
【００１２】
以下、本発明の一実施の形態について、図面を参照して詳細に説明する。
【００１３】
まず、本実施の形態における用語の定義について説明する。
「労働安全衛生管理」とは、労働者の安全と健康を確保し、快適な作業環境を作るための、総合的、計画的な対策を行うことであり、労働災害についてのリスクアセスメント（事前の危険評価）を含む。
「リスク」とは、災害、および、災害が発生する危険性である。
「工種」とは、ある工事を構成する複数のより小規模な工事の種別である。工事は、大工種、中工種、および小工種等の複数階層のツリー形式で構成される。各工種には、「機械土工事  掘削積込［バックホウ］」、「埋戻工」等の、対応する小規模な工事の内容を示す名称が付与されている。
「積算内訳」とは、工事の予定価格を算出するために、工事を構成する工種をツリー形式で列挙し、工種毎に数量および金額を明示したものである。
「工事内訳」および「工事内容」とは、工事を構成する工種を列挙したものである。
「作業項目」とは、工事において実施され得る作業のパターンの種別である。各作業項目には、「機械土工（土砂）」、「機械土工（埋戻工）」等の、対応する作業のパターンの内容を示す名称が付与されている。
「作業工程」とは、ある作業を構成する複数のより小規模な作業であり、例えば、「重機搬入」、「掘削作業を行う」である。
「作業区分」とは、作業工程の種別である。各作業区分には、「準備工」、「本作業」等の、対応する小規模な作業の内容を示す名称が付与されている。
「作業の手順」および「作業手順」とは、作業工程の、内容および実施順序である。
「災害の起因物」とは、災害の原因となる物事の種別であり、例えば、「建設機械等」、「電力設備」である。
「災害分類」とは、災害を分類したときのグループの種別である。各災害分類には、「はさまれ、巻き込まれ」、「転倒」等の、対応する災害の内容を示す名称が付与されている。
「事故事例分類」とは、過去に発生した事故の事例を分類したときのグループの種別である。事故事例分類には、「気象災害」、「転倒・横転事故」等の、対応する事故事例の内容を示す名称が付与されている。
「リスク情報」とは、災害の内容を示す情報であり、例えば、災害の起因物、災害の内容、災害分類、災害防止対策、災害の重篤度、災害の発生の可能性を含む。
「作業手順書」とは、工事において実施される作業の作業項目について、複数の作業工程およびリスク情報を、作業手順に沿って並べた一覧である。
「法令情報」とは、法令あるいは法令の内容を示す情報であり、例えば、労働安全衛生法の条文の番号や内容である。
【００１４】
次に、本実施の形態に係る労働安全衛生管理システムの構成について説明する。
【００１５】
本実施の形態に係る労働安全衛生管理システムの各部の機能は、例えば、ＣＰＵ（central processing unit）が、ＲＯＭ（read only memory）等の記憶媒体に格納された制御プログラムを実行することにより、実現される。すなわち、本実施の形態に係る労働安全衛生管理システムは、例えば、パーソナルコンピュータにインストールされたアプリケーションソフトウェアの形態をとる。具体的には、本実施の形態に係る労働安全衛生管理システムは、例えば、既存の表作成ソフトウェアのアドインである。
【００１６】
図１は、本実施の形態に係る労働安全衛生管理システムの構成の一例を示すブロック図である。
【００１７】
図１において、労働安全衛生管理システム１００は、参照情報格納部１１０、工事内訳取得部１２０、作業選択受付部１３０、リスク情報提示部１４０、および登録情報格納部１５０を有する。
【００１８】
また、労働安全衛生管理システム１００には、操作部２１０、通信部２２０、表示部２３０、および印刷部２４０が接続されている。以下の説明において、労働安全衛生管理システム１００は、例えば、情報の表示を、表示部２３０を用いて行い、ユーザからの操作の受け付けを、操作部２１０を用いて行う。また、労働安全衛生管理システム１００は、例えば、外部機器との間の情報の送受信を、通信部２２０を用いて行ない、情報の印刷を、印刷部２４０を用いて行う。
【００１９】
参照情報格納部１１０は、作業手順マスタテーブル（リスク情報テーブル）を、予め格納する。
【００２０】
作業手順マスタテーブルは、複数の作業のそれぞれと、その作業工程、リスク情報、および法令情報と、の対応関係を記述したテーブルである。
【００２１】
図２は、作業手順マスタテーブルの一例を示す図である。
【００２２】
図２に示すように、作業手順マスタテーブル３１０は、作業項目（工種）３１１毎に、１つまたは複数の作業区分３１２と、各作業区分の作業において実施されるべき１つまたは複数の作業工程（手順）３１３とを記述している。なお、１つの作業項目３１１に対しては、通常、複数の作業工程３１３が対応付けられている。
【００２３】
また、作業手順マスタテーブル３１０は、作業工程３１３毎に、リスク情報（３１４〜３１７、３１９〜３２３）を記述している。
【００２４】
リスク情報は、災害の起因物３１４、危険性または有害性と発生のおそれのある災害の内容３１５、および災害分類３１６を含む。また、リスク情報は、既存の災害防止対策３１７と、当該防止対策の重篤度３１９、可能性３２０、および評価３２１と、リスク低減措置案３２２と、当該措置案の重篤度３２３、可能性３２４、および評価３２５とを含む。なお、作業手順マスタテーブル３１０は、リスク情報と対応付けて、リスク情報に関係する法令情報である関係法令等３１８を、更に記述している。
【００２５】
図２に示す例では、例えば、「準備工」という作業区部３１２に、「有資格者の確認・・・」等の９つの作業工程３１３が対応付けられている。そして、例えば、「有資格者の確認・・・」という作業工程３１３に、「転倒」等の災害分類３１６を含むリスク情報、および、「〔安令２０〕」という関係法令等３１８が、対応付けられている。
【００２６】
なお、作業手順マスタテーブル３１０における情報の対応関係は、複数のテーブルに分けて記述されていてもよい。
【００２７】
図１の工事内訳取得部１２０は、リスクアセスメントの対象となる工事（以下「対象工事」という）の積算内訳を取得し、取得された積算内訳の内容を示すデータ（以下「積算内訳データ」という）に基づいて、工事内訳を取得する。そして、工事内訳取得部１２０は、取得した工事内訳の内容を示すデータ（以下「工事内訳データ」という）を、作業選択受付部１３０へ出力する。
【００２８】
作業選択受付部１３０は、入力された工事内訳データに基づいて、工事内訳に含まれる複数の工種を一覧表示し、ユーザから、表示された複数の工種に対する選択操作を受け付ける。更に、作業選択受付部１３０は、作業手順マスタテーブル３１０（図２参照）に含まれる複数の作業項目を一覧表示し、ユーザから、選択されている工種に対応付けて、表示された複数の作業項目の中からいずれかを選択する操作を受け付ける。そして、作業選択受付部１３０は、ユーザによって選択された作業項目を示す情報と、選択された作業項目が対応付けられた工種を示す情報とを組にして、リスク情報提示部１４０へ出力する。
【００２９】
リスク情報提示部１４０は、作業手順マスタテーブル３１０（図２参照）を参照して、選択された作業項目に対応する複数の作業工程およびリスク情報の一覧を、作業手順書として生成し、対応する工種に対応付けてユーザに提示（表示）する。また、リスク情報提示部１４０は、ユーザから、表示された作業手順書の内容の少なくとも一部に対する変更と、作業手順書に対する決定操作とを受け付ける。そして、リスク情報提示部１４０は、決定操作が行われた作業手順書の内容を示すデータ（以下「作業手順書データ」という）と、対象工事の識別情報とを、組にして登録情報格納部１５０へ出力することにより、作業手順書の内容を対象工事に対応付けて登録する。
【００３０】
登録情報格納部１５０は、リスク情報提示部１４０から入力された作業手順書データと対象工事の識別情報との組を、格納して保持する。
【００３１】
なお、労働安全衛生管理システム１００は、外部サーバ等の外部機器にアクセスして、参照情報格納部１１０および登録情報格納部１５０に格納された情報を、更新したり、外部機器へ送信したりする機能を有する。また、労働安全衛生管理システム１００は、登録情報格納部１５０に格納された作業手順書データを、表示したり印刷したりする機能を有する。これらの機能は、例えば、リスク情報提示部１４０により実現される。
【００３２】
操作部２１０は、例えばキーボードおよびマウスであり、ユーザが行った操作の内容を示す情報を、労働安全衛生管理システム１００へ出力する。
【００３３】
通信部２２０は、例えば無線ＵＳＢアダプタであり、インターネット上のサーバ等の外部機器との間で通信を行い、労働安全衛生管理システム１００と外部機器との間で情報の転送を行う。
【００３４】
表示部２３０は、例えば液晶ディスプレイであり、労働安全衛生管理システム１００から入力された画像情報に基づいて画像を表示する。
【００３５】
印刷部２４０は、例えばカラープリンタであり、労働安全衛生管理システム１００から入力された画像情報に基づいて画像を印刷する。
【００３６】
このような構成を有する労働安全衛生管理システム１００によれば、ユーザから、工種に対応付けて、その工種で行われるべき作業の作業項目を選択する操作を受け付けることができる。
【００３７】
上述の通り、従来技術では、ユーザが、自動で一覧表示された工程のそれぞれについて、適切か否かを後から確認する必要があった。このような、１つの作業項目に対応する多数の作業工程のそれぞれの適否を確認する作業の負担に比べて、１つの作業項目を選択する作業の負担は、非常に軽い。
【００３８】
したがって、労働安全衛生管理システム１００は、従来技術に比べて、リスクアセスメントの作業の負担を軽減することができる。
【００３９】
また、従来技術では、危険有害要因を含む作業工程のみを一覧表示するのに対し、労働安全衛生管理システム１００は、有害要因の有無によらず、工事に必要な一連の作業工程を一覧表示する。このような一覧表示は、そのまま、作業手順書として用いることが可能である。
【００４０】
したがって、労働安全衛生管理システム１００は、リスクアセスメントと作業手順書の作成との間で重複する作業を一度に行うことを可能にし、例えば、作業手順書の作成の作業負担を軽減することができる。
【００４１】
また、労働安全衛生管理システム１００は、従来技術では表示していない災害防止対策を、一覧表示する。したがって、労働安全衛生管理システム１００は、従来技術に比べて、リスクアセスメントの作業の負担を更に軽減することができる。
【００４２】
次に、労働安全衛生管理システム１００の動作について、各処理段階で表示される画像を例示しながら説明する。
【００４３】
労働安全衛生管理システム１００は、例えば、メニュー画面を表示し、メニュー画面から、具体的な作業を行うための操作画面の表示へと遷移する。なお、各画面を表示するのに必要なデータは、例えば、参照情報格納部１１０に予め格納されている。
【００４４】
図３は、メニュー画面を含む画面全体の一例を示す図である。
【００４５】
図３に示すように、メニュー画面４１０の上部には、各操作画面に対応した複数のアイコン４１１が表示されている。労働安全衛生管理システム１００は、ユーザにより、いずれかのアイコン４１１に対するクリック操作が行われると、そのアイコン４１１に対応する機能を発揮するための操作画面が、別のウィンドウによりポップアップ表示される。メニュー画面４１０の各アイコン４１１は、基本的に、いずれかの操作画面が表示されている状態であってもクリックすることが可能となっている。
【００４６】
図４は、各アイコン４１１に対応する主な機能を説明する図である。
【００４７】
図４に示すように、例えば、「工事内容」というテキストが付されたアイコン４１１１に対応する主な機能は、工事内容（積算内訳データ）を作成することである。「安全計画」というテキストが付されたアイコン４１１２に対応する主な機能は、工事内容を元にした安全計画データを作成することである。「作業手順書」というテキストが付されたアイコン４１１３に対応する主な機能は、工事内容を基にした、工種別の作業手順書データを作成することである。「確認写真出力」というテキストが付されたアイコン４１１４に対応する主な機能は、後述の実施状況写真一覧表を作成して出力することである。「法令検索」というテキストが付されたアイコン４１１５に対応する主な機能は、法令条文を参照したり文字列検索したりするための画面を表示することである。
【００４８】
なお、これらのアイコン４１１１〜４１１５に対応する機能は、リスクアセスメントに関する機能である。したがって、以下、これらの機能を中心に、労働安全衛生管理システム１００の動作について説明する。
【００４９】
まず、作業手順書が登録されるまでの労働安全衛生管理システム１００の動作について説明する。
【００５０】
図５は、作業手順書が登録されるまでの労働安全衛生管理システム１００の動作の一例を示すフローチャートである。
【００５１】
まず、ステップＳ１１００において、工事内訳取得部１２０は、「工事内容」のアイコン４１１１（図３参照）のクリックを受けて、積算内訳作成画面を表示する。そして、工事内訳取得部１２０は、ユーザから積算内訳データの作成を受け付けることにより、積算内訳を取得する。
【００５２】
図６は、積算内訳作成画面の一例を示す図である。
【００５３】
図６に示すように、積算内訳作成画面４２０は、工種のツリー構造を作成するための操作領域４２１と、各工種に対して金額情報を設定するための操作領域４２２と、各工種に対して使用する主要機械および主要材料情報を設定するための操作領域４２３とを含む。このような積算内訳作成画面４２０に対するユーザの操作により、積算内訳データが生成される。
【００５４】
なお、積算内訳データが生成された後に、「安全計画」のアイコン４１１２（図３参照）がクリックされたとする。この場合、労働安全衛生管理システム１００は、各工種の簡易工程に関する情報の入力をユーザから受け付け、工程に基づき、該当する主要機械および主要材料に関する情報を集計して、安全計画データを作成してもよい。
【００５５】
そして、図５のステップＳ１２００において、工事内訳取得部１２０は、工事内訳を表示し、作業選択受付部１３０は、作業項目一覧を表示する。
【００５６】
具体的には、以下の通りである。工事内訳取得部１２０は、「作業手順書」のアイコン４１１３（図３参照）のクリックを受けて、生成された積算内訳データから、工種のツリー構造を抽出し、工事内訳データを生成する。
【００５７】
そして、作業選択受付部１３０は、工事内訳を含む、工種選択画面を表示する。
【００５８】
図７は、工種選択画面の一例を示す図である。
【００５９】
図７に示すように、工種選択画面４３０は、工事内訳４３１と、検討進捗状況を示す情報表示領域４３２とを含む。
【００６０】
工事内訳４３１には、工事に含まれる工種名のリストを、ツリー状に表示する。表示されている工種名のうち、手順書追加操作が行われた工種名には、その旨を示すマーカが付与される。ここで、手順書追加操作とは、手順作業書に対して作業工程を追加する操作である。
【００６１】
情報表示領域４３２には、例えば、工事内訳に含まれる工種（総工種）の総数と、リスクアセスメント（検討）が済んだ工種（検討工種）の総数とが表示される。この情報は、つまり、取得された工事内訳に含まれる全ての工種について、作業を選択する操作が行われたか否かを示す。
【００６２】
作業選択受付部１３０は、例えば、以下のようにして、総工種の総数および検討工種の総数をカウントする。
【００６３】
作業選択受付部１３０は、工事内訳のツリーの最下層の全ての工種の個数をカウントし、カウントされた値を、総工種の総数とする。また、作業選択受付部１３０は、例えば、上述の手順書追加操作が行われた工種の個数をカウントし、カウントされた値を、検討工種とする。
【００６４】
但し、作業選択受付部１３０は、手順書追加操作が行われた工種がツリーの最下層の工種ではない場合、手順書追加操作が行われた工種に属する最下層の工種の個数をカウントする。また、作業選択受付部１３０は、検討工種の総数の既にカウントされている工種については、再度、手順書追加操作が行われたとしても、検討工種の総数に再カウントはしない。
【００６５】
また、情報表示領域４３２には、例えば、工事内訳に含まれる工種に対応付けて選択された作業項目（作業）に含まれる作業工程の総数（以下「作業手順数」という）が表示される。また、情報表示領域４３２には、例えば、当該作業工程のうちリスクアセスメント（検討）が済んだ作業工程の総数（以下「リスクアセスメント実施項目数」という）が表示される。
【００６６】
作業選択受付部１３０は、例えば、登録された作業手順書に含まれる作業工程の個数を、作業手順数としてカウントする。また、作業選択受付部１３０は、登録された作業手順書に含まれる作業工程のうち、作業手順書において検討結果情報の入力が行われた作業工程の個数を、リスクアセスメント実施項目数としてカウントする。
【００６７】
そして、例えば、工種選択画面４３０において、いずれかの工種が選択された状態で、アイコン４３３がクリックされたとする。この場合、作業選択受付部１３０は、作業手順マスタテーブル３１０（図２参照）に含まれる複数の作業項目の一覧表（以下「作業項目一覧」という）を含む、作業項目選択画面を表示する。
【００６８】
図８は、初期状態の作業手順書作成画面の一例を示す図である。
【００６９】
図８に示すように、作業手順書作成画面４４０は、作業手順書に対する情報の追加および削除等の操作を行うための操作領域４４１と、作成中の作業手順書を表示し、編集を受け付けるための作業領域４４２とを含む。操作領域４４１は、例えば、アイコン４４３、４４４を含む。
【００７０】
なお、作業領域４４２に表示される作業手順書の各項目の順序は、作業手順マスタテーブル３１０（図２参照）における各項目の順序と同一とは限らない。また、作業領域４４２には、作業手順書の全部が表示されるとは限らない。作業手順書の表示範囲は、例えば、画面スクロール操作を受けて変化する。
【００７１】
初期状態の作業領域４４２は、後述の作業選択操作がまだ行われていないため、ブランクである。なお、作業領域４４２の構成は、例えば、作業手順マスタテーブル３１０（図２参照）の構成を含む。
【００７２】
例えば、項目番号「１」の行が選択された状態で、アイコン４４３がクリックされたとする。この場合、作業選択受付部１３０は、作業手順マスタテーブル３１０（図２参照）に含まれる複数の作業項目の一覧表（以下「作業項目一覧」という）を含む、作業項目選択画面を表示する。
【００７３】
図９は、作業項目選択画面の一例を示す図である。
【００７４】
図９に示すように、作業項目選択画面４５０は、作業項目一覧４５１を含む。作業項目一覧４５１のデータは、作業手順マスタテーブル３１０（図２参照）から都度生成されてもよいし、予め用意されていてもよい。
【００７５】
そして、図５のステップＳ１３００において、作業選択受付部１３０は、工種および作業項目が選択されたか否かを判断する。
【００７６】
具体的には、以下の通りである。作業選択受付部１３０は、作業項目一覧４５１の任意の作業項目に対する選択操作を、ユーザから受け付ける。すなわち、ユーザは、工種に対応付ける作業項目を、自由に選択することができる。
【００７７】
作業選択受付部１３０は、いずれかの作業項目に対して選択操作が行われると（ステップＳ１３００：ＹＥＳ）、作業項目選択画面４５０を閉じて、処理をステップＳ１４００へ進める。なお、作業選択受付部１３０は、作業項目に対する選択操作が行われていない場合（ステップＳ１３００：ＮＯ）、処理を後述のステップＳ１５００へ進める。
【００７８】
ステップＳ１４００において、リスク情報提示部１４０は、作業項目に対応する複数の作業工程およびリスク情報を作業手順書に追加し、追加後の作業手順書を表示する。
【００７９】
具体的には、以下の通りである。まず、リスク情報提示部１４０は、選択された作業項目に対応する複数の作業工程およびリスク情報を、作業手順マスタテーブル３１０（図２参照）から読み出す。
【００８０】
そして、リスク情報提示部１４０は、読み出した複数の作業工程およびリスク情報の内容を、作業手順書作成画面４４０の作業領域４４２の対応する欄に貼り付ける。リスク情報提示部１４０は、項目番号「１」の行が選択されている場合には、項目番号「１」の行を基準とする位置に、複数の作業工程およびリスク情報を貼り付ける。
【００８１】
図１０は、作成途中の作業手順書作成画面の一例を示す図であり、図８に対応するものである。
【００８２】
図１０に示すように、リスク情報提示部１４０は、作業手順書作成画面４４０の作業領域４４２（つまり、作成中の作業手順書）に、選択された作業項目に対応する、複数の作業工程およびリスク情報を、追加して表示する。
【００８３】
そして、図５のステップＳ１５００において、リスク情報提示部１４０は、作業手順書に対する変更操作があったか否かを判断する。リスク情報提示部１４０は、作業手順書に対する変更操作があった場合（Ｓ１５００：ＹＥＳ）、処理をステップＳ１６００へ進める。なお、リスク情報提示部１４０は、作業手順書に対する変更操作がない場合（Ｓ１５００：ＮＯ）、処理を後述のステップＳ１７００へ進める。
【００８４】
ステップＳ１５００において、リスク情報提示部１４０は、ユーザの操作に従って、作業手順書を変更し、変更後の作業手順書を表示する。
【００８５】
具体的には、以下の通りである。
【００８６】
リスク情報提示部１４０は、図１０に示すように、リスク情報提示部１４０は、作業手順書作成画面４４０の作業領域４４２（つまり、作成中の作業手順書）に、プルダウンメニューを含める。また、リスク情報提示部１４０は、作業領域４４２のブランク欄へのテキスト入力や、既に入力されているテキストに対する修正を、ユーザから受け付ける。すなわち、リスク情報提示部１４０は、表示された作業手順書作成画面４４０の作業領域４４２の内容の少なくとも一部に対する変更を受け付ける。
【００８７】
図１１は、作業手順書における各プルダウンメニューのメニュー項目の一例を示す図である。
【００８８】
図１１に示すように、例えば、作業区分、起因物、災害分類、重篤度、可能性、および評価という項目のそれぞれに対して、予め、複数のメニュー項目が登録されている。
【００８９】
リスク情報提示部１４０は、プルダウンメニューのそれぞれに、選択された作業項目に対応する作業工程またはリスク情報を、初期状態において表示させる。すなわち、ユーザが変更操作をしなければ、作業手順書は、作業手順マスタテーブル３１０（図２参照）に記述された通りの内容となる。
【００９０】
なお、図８および図１０には表れていないが、作業手順書作成画面４４０の作業領域４４２は、作業工程毎に、個々の作業工程に対対する評価、確認資料、および備考等といった、リスクアセスメントの検討結果に関する付加情報（以下「検討結果情報」という）を追加するための情報追加欄を、更に有する。リスク情報提示部１４０は、ユーザから、かかる情報追加欄に対する検討結果情報の追加を受け付ける。検討結果情報は、例えば、対応する災害防止対策を行ったか否かを示す情報、および、作業工程の様子を撮影した画像である。
【００９１】
そして、図５のステップＳ１７００において、リスク情報提示部１４０は、ユーザにより、作成中の作業手順書に対する決定操作が行われたか否かを判断する。リスク情報提示部１４０は、作成中の作業手順書に対する決定操作が行われていない間（図５のステップＳ１７００：ＮＯ）、図５のステップＳ１３００〜Ｓ１６００を繰り返す。そして、リスク情報提示部１４０は、作成中の作業手順書に対する決定操作が行われると（図５のステップＳ１７００：ＹＥＳ）、その時点の作業手順書を登録情報格納部１５０に登録して（図５のステップＳ１８００）、一連の処理を終了する。
【００９２】
図１２は、登録された作業手順書の一例を示す図である。
【００９３】
図１２に示すように、作業手順書４６０は、工種（工種名）４６１に対応付けて、項目番号４６２、複数の作業区分４６３および複数の作業工程（手順）４６４、リスク情報４６５〜４６８、４７０〜４７２、４７４〜４７７、および法令関係等４６９を記述している。また、作業手順書４６０は、既存の災害防止対策の優先度４７３、リスク低減措置の実施日４７８、措置を実施したことを示す確認資料４７９、ならびに備考４８０という、検討結果情報を記述している。
【００９４】
なお、リスク情報提示部１４０は、登録した作業手順書を、読み出して作業手順書作成画面４４０に再表示し、作業工程やリスク情報の変更、ならびに、検討結果情報の変更、追加、および削除を、ユーザから受け付けることができる。そして、リスク情報提示部１４０は、変更後の作業手順書で、登録内容を更新することができる。すなわち、ユーザは、作業手順書を、間欠的な作業により、作成していくことができる。
【００９５】
また、リスク情報提示部１４０は、登録した作業手順書に基づいて、新たな作業手順マスタテーブル３１０（図２参照）を生成してもよい。すなわち、リスク情報提示部１４０は、作業手順マスタテーブル３１０の変更をユーザから受け付けてもよい。これにより、作業手順マスタテーブル３１０の内容を、各作業における作業工程およびリスク情報の実態により適合した内容とすることができ、以降のユーザの作業負担を更に軽減することができる。
【００９６】
以上で、作業手順書が登録されるまでの労働安全衛生管理システム１００の動作についての説明を終える。
【００９７】
次に、作業手順書が登録されてからの労働安全衛生管理システム１００の動作について説明する。なお、労働安全衛生管理システム１００は、未登録（作業中）の作業手順書に基づいて、以下に説明する動作を行ってもよい。
【００９８】
リスク情報提示部１４０は、ユーザ操作を受けて、登録された作業手順書４６０に基づき、各種の書類を作成する。
【００９９】
例えば、リスク情報提示部１４０は、登録された作業手順書に基づいて、作業手順書兼リスクアセスメント実施一覧表を作成し、ユーザに提示する。ここで、作業手順書兼リスクアセスメント実施一覧表とは、作業手順書に沿ってリスク情報を参照しながら、リスクアセスメントを実施するための書類である。
【０１００】
具体的には、以下の通りである。工種選択画面４３０（図７参照）において、工事内訳４３１の中からいずれかの工種が選択された状態で、工種選択画面４３０に含まれる所定のアイコン（図示せず）がクリックされたとする。この場合、リスク情報提示部１４０は、選択されている工種について、作業手順書の内容に基づき、作業手順書兼リスクアセスメント実施一覧表を生成し、表示する。また、リスク情報提示部１４０は、ユーザ操作を受けて、生成した作業手順書兼リスクアセスメント実施一覧表を、印刷する。なお、リスク情報提示部１４０は、ユーザから、表示中の作業手順書兼リスクアセスメント実施一覧表に対する修正を受け付けてもよい。
【０１０１】
図１３は、印刷された作業手順書兼リスクアセスメント実施一覧表の一例を示す図である。
【０１０２】
図１３に示すように、作業手順書兼リスクアセスメント実施一覧表４９０は、工事情報記載領域４９１、工種名記載領域４９２、使用器具等記載領域４９３、作業手順書領域４９４、および確認印領域４９５を含む。
【０１０３】
工事情報記載領域４９１は、ユーザ操作により選択あるいは入力された工事名および請負者を記載する。工種名記載領域４９２は、選択された工種の工種名を記載する。使用器具等記載領域４９３は、選択された工種における使用器具および作業概要を記載する。作業手順書領域４９４は、リスク低減措置の実施日４７８、措置を実施したことを示す確認資料４７９、および備考４８０等のリスクアセスメント実施に関する情報の記入欄を含む、作業手順書４６０（図１２参照）の内容を記載する。確認印領域４９５は、作業手順書兼リスクアセスメント実施一覧表４９０の記載内容に対する確認印等を押すための領域である。
【０１０４】
すなわち、リスク情報提示部１４０は、工事の工種毎に、リスクアセスメント実施に関する情報の記入欄を含む作業手順書を、表示あるいは印刷する。これにより、ユーザは、作業手順を確認しながら、リスクアセスメントの検討および実施を行うことができる。
【０１０５】
また、例えば、リスク情報提示部１４０は、登録された作業手順書に基づいて、対策実施報告書を作成する。ここで、対策実施報告書とは、作業手順書兼リスクアセスメント実施一覧表４９０（図１３参照）の総括表であり、工事全体におけるリスクアセスメントの実施状況の概要を他者に対して報告するための表である。
【０１０６】
具体的には、以下の通りである。工種選択画面４３０（図７参照）において、工種選択画面４３０に含まれる所定のアイコン（図示せず）がクリックされたとする。この場合、リスク情報提示部１４０は、工種選択画面４３０の情報表示領域４３２の内容に基づき、対策実施報告書を生成し、表示する。また、リスク情報提示部１４０は、ユーザ操作を受けて、生成した対策実施報告書を、印刷する。なお、リスク情報提示部１４０は、ユーザから、表示中の対策実施報告書に対する修正を受け付けてもよい。
【０１０７】
図１４は、対策実施報告書の一例を示す図である。
【０１０８】
図１４に示すように、対策実施報告書５００は、工事情報記載領域５０１、リスクアセスメント実施日記載領域５０２、リスクアセスメント実施概要記載領域５０３、報告用文章記載領域５０４、および確認印領域５０５を含む。
【０１０９】
工事情報記載領域５０１は、ユーザ操作により選択あるいは入力された工事名および請負者を記載する。リスクアセスメント実施日記載領域５０２は、リスクアセスメントを検討した日および工事の施工開始日を記載する。リスクアセスメント実施概要記載領域５０３は、工種数、作業手順数、およびリスクアセスメント実施項目数として、それぞれ、工種選択画面４３０の情報表示領域４３２（図７参照）に表示された、総工種の総数、作業手順数、およびリスクアセスメント実施項目数を記載する。報告用文章記載領域５０４は、リスクアセスメントの実施を報告する文章を記載する。確認印領域５０５は、対策実施報告書５００の記載内容に対する確認印等を押すための領域である。
【０１１０】
すなわち、リスク情報提示部１４０は、工事毎に、工事全体におけるリスクアセスメントの実施状況の概要の一覧表を、表示あるいは印刷する。これにより、ユーザは、工事のリスクアセスメントの実施状況を、少ない労力で、他者に示すことができる。
【０１１１】
また、例えば、リスク情報提示部１４０は、登録された作業手順書に基づいて、危険予知活動表を作成する。ここで、危険予知活動表とは、リスク情報を確認しながら具体的なリスク低減措置を検討して記入するための表である。また、リスク情報提示部１４０は、ユーザ操作を受けて、生成した危険予知活動表を、印刷する。なお、リスク情報提示部１４０は、ユーザから、表示中の危険予知活動表に対する修正を受け付けてもよい。
【０１１２】
具体的には、以下の通りである。作業手順書作成画面４４０（図８および図１０参照）において、作業手順書の中から、１つまたは複数の行（作業工程）が選択された状態で、アイコン４４４がクリックされたとする。この場合、リスク情報提示部１４０は、選択されている作業工程について、作業手順書の内容に基づいて危険予知活動表を生成する。
【０１１３】
図１５は、危険予知活動表の一例を示す図である。
【０１１４】
図１５に示すように、危険予知活動表５１０は、例えば、施工日表示欄５１１、工事名表示欄５１２、作業内容表示欄５１３、リスク情報表示欄５１４、行動目標記入欄５１５、会社情報表示欄５１６、および作業員数記入欄５１７を含む。
【０１１５】
作業内容表示欄５１３は、工事内訳に含まれる工種を記述している。リスク情報表示欄５１４は、作業内容表示欄５１３に記述された工種に対応付けられた、作業手順書のリスク情報と、かかるリスク情報に対応する法令情報とを記述している。リスク情報提示部１４０は、例えば、ユーザから、危険予知活動表５１０の作成対象となる工事の工事名称および工種の選択を受け付ける。そして、リスク情報提示部１４０は、選択された工事明要および工種と、登録された作業手順書４６０（図１２参照）に基づいて、作業内容表示欄５１３およびリスク情報表示欄５１４の記述内容を決定する。行動目標記入欄５１５および作業員数記入欄５１７は、ユーザが、行動目標や作業員数といったリスク回避対策を、記入するための欄である。
【０１１６】
すなわち、リスク情報提示部１４０は、リスク情報、および法令情報と、ユーザがリスク回避対策を記入する欄とを、一斉に提示する。これにより、ユーザは、リスク情報を確認しながら、その日のリスク回避対策を適切に検討して、危険予知活動表５１０を完成させることができる。
【０１１７】
また、例えば、リスク情報提示部１４０は、登録された作業手順書に含まれる検討結果情報に基づいて、実施状況写真一覧表を生成する。ここで、実施状況写真一覧表とは、リスク低減のためにどのような措置を講じたかを示す表である。
【０１１８】
具体的には、以下の通りである。メニュー画面４１０において、「確認写真出力」のアイコン４１１４がクリックされたとする（図３参照）。その後、１つまたは複数の行（工種）が選択されると、リスク情報提示部１４０は、選択されている工種について、作業手順書の内容に基づいて実施状況写真一覧表を生成し、表示する。また、リスク情報提示部１４０は、ユーザ操作を受けて、生成した実施状況写真一覧表を、印刷する。なお、リスク情報提示部１４０は、ユーザから、表示中の実施状況写真一覧表に対する修正を受け付けてもよい。
【０１１９】
図１６は、実施状況写真一覧表の一例を示す図である。
【０１２０】
図１６に示すように、実施状況写真一覧表５２０は、例えば、作業工程毎に、工種名、実施日、およびリスク低減措置案等を記述するテキスト表示欄５２１と、確認資料を画像表示する画像表示欄５２２とを組にして、記載している。
【０１２１】
このような実施状況写真一覧表５２０が生成されることにより、ユーザは、工事のリスクアセスメントを実施したこと、および、リスクを低減するための対策を講じたことを、少ない負担で、他者に対して示すことができる。
【０１２２】
以上説明したように、本実施の形態に係る労働安全衛生管理システム１００は、作業手順書を作成する際に、ユーザから、対象工事の工種に対応付けて、その工種で行われるべき作業の作業項目の選択を受け付けることができる。これにより、本実施の形態に係る労働安全衛生管理システム１００は、従来技術に比べて、ユーザのリスクアセスメントの作業の負担を軽減することができる。
【０１２３】
なお、本発明に係る労働安全衛生管理システムの構成は、上記内容に限定されない。例えば、操作部２１０、通信部２２０、表示部２３０、および印刷部２４０の一部または全部は、労働安全衛生管理システムを構成してもよい。また、登録情報格納部１５０は、労働安全衛生管理システムを構成しなくてもよい。
【０１２４】
また、工事内訳の取得手法は、上記内容に限定されない。工事内訳取得部１２０は、例えば、ユーザから工事に含まれる工種の入力を受け付けることにより、工事内訳を取得してもよい。
【産業上の利用可能性】
【０１２５】
本発明は、リスクアセスメントの作業の負担を軽減することができる、労働安全衛生管理システム、労働安全衛生管理方法、および労働安全衛生管理プログラムとして有用である。
【符号の説明】
【０１２６】
１００  労働安全衛生管理システム
１１０  参照情報格納部
１２０  工事内訳取得部
１３０  作業選択受付部
１４０  リスク情報提示部
１５０  登録情報格納部
２１０  操作部
２２０  通信部
２３０  表示部
２４０  印刷部
【図１】
2015052854.tif 000003
【図２】
2015052854.tif 000004
【図５】
2015052854.tif 000005
【図１２】
2015052854.tif 000006
【図１４】
2015052854.tif 000007
【図１５】
2015052854.tif 000008
【図３】
2015052854.tif 000009
【図４】
2015052854.tif 000010
【図６】
2015052854.tif 000011
【図７】
2015052854.tif 000012
【図８】
2015052854.tif 000013
【図９】
2015052854.tif 000014
【図１０】
2015052854.tif 000015
【図１１】
2015052854.tif 000016
【図１３】
2015052854.tif 000017
【図１６】
2015052854.tif 000018